(57)【要約】【課題】ボディ・フロア側のシート・バック・ロック・ワイヤに対応してトリム・カバーの背裏面に開口される細長いはめ込み口に芯材を省いてその細長いはめ込み口をスリット状になし、その細長いはめ込み口にそのシート・バック・ロック・ワイヤを円滑に出し入れできて開口縁のへたりを抑制し、そして、長期間見映えを確保可能にする。【解決手段】シート・バック・トリム・カバー１５が、背当て側トリム・カバー３９および背裏面側トリム・カバー４０からなり、そして、ボディ・フロア側のシート・バック・ロック・ワイヤに対応して細長いはめ込み口５５をその背裏面側トリム・カバー４０に開口させ、そして、上下のリップ６０、６１が、短冊形生地を幅方向に折り返して曲げ、そして、その細長いはめ込み口５５において長さ方向に突き合わせ状態で折返し端末６４、６５をその細長いはめ込み口５５の折返し端末５６、５７に内側から重ねて縫い付けてその細長いはめ込み口５５をスリット状になす。【選択図】図３
2014043223.tif 000002
【特許請求の範囲】
【請求項１】
シート・バック・トリム・カバーが、背当て側トリム・カバーおよび背裏面側トリム・カバーからなり、そして、ボディ・フロア側のシート・バック・ロック・ワイヤに対応して細長いはめ込み口をその背裏面側トリム・カバーに開口させ、そして、上下のリップが、短冊形生地を幅方向に折り返して曲げ、そして、その細長いはめ込み口において長さ方向に突き合わせ状態で折返し端末をその細長いはめ込み口の折返し端末に内側から重ねて縫い付けてその細長いはめ込み口をスリット状になすところの自動車のリア・シートに用いる前倒し可能なリア・シート・バック。
【請求項２】
その上下のスリップが、カーペット生地を用いる請求項１に記載の自動車のリア・シートに用いる前倒し可能なリア・シート・バック。
【発明の詳細な説明】
【技術分野】
【０００１】
この発明は、自動車のリア・シートに用いる前倒し可能なリア・シート・バックに関し、詳細には、シート・バック・ロック機構を内臓してリア・シート・クッションに前倒し可能にヒンジ結合され、そして、そのシート・バック・ロック機構でボディ・フロア側のシート・バック・ロック・ワイヤ（ストライカー）に起立状態にロックされるリア・シート・バックの改良に関する。
【背景技術】
【０００２】
通常、バンなどでは、リア・シート・バックがセンター・シート・バックを一体化した片側シート・バックと他側シート・バックとに６対４分割され、そして、その片側シート・バックをリア・シート・クッション上に前倒しさせて大きな荷物を載せる荷室スペースに利用可能にされる。
その片側シート・バックは、シート・バック・ロック機構を内臓してそのリア・シート・クッションに前倒し可能にヒンジ結合され、そして、そのシート・バック・ロック機構でボディ・フロア側のシート・バック・ロック・ワイヤ（ストライカー）に起立状態にロックされるので、その片側シート・バックは、トリム・カバーの背裏面側にスリットを開口し、そのスリットからバック内部にそのシート・バック・ロック・ワイヤをはめ込んでそのシート・バック・ロック機構のラチェットをそのシート・バック・ロック・ワイヤにかみ合わせ可能になされる。
そのスリットは、その片側シート・バックの前倒しおよび起立に伴うそのシート・バック・ロック・ワイヤの出し入れで開口縁にへたりを生じ見映えが悪くなる不具合があった。
【０００３】
それで、スロット付き板状芯材がそのスリットのまわりでトリム・カバーに挟ませてそのトリム・カバーに共縫いされたが、そのスリットの開口縁がその芯材で硬くなってそのシート・バック・ロック・ワイヤがそのスリットのその開口縁に擦れてそのスリットに円滑にはめ込まれなくなる不具合があった。
【先行技術文献】
【特許文献】
【０００４】
実開平２−７９８４４公報
【発明の概要】
【発明が解決しようとする課題】
【０００５】
この発明の課題は、ボディ・フロア側のシート・バック・ロック・ワイヤに対応してトリム・カバーの背裏面に開口される細長いはめ込み口に芯材を省いてその細長いはめ込み口をスリット状になし、その細長いはめ込み口にそのシート・バック・ロック・ワイヤを円滑に出し入れできて開口縁のへたりを抑制し、そして、長期間見映えを確保可能にするところの自動車のリア・シートに用いる前倒し可能なリア・シート・バックの提供にある。
【課題を解決するための手段】
【０００６】
この発明の自動車のリア・シートに用いる前倒し可能なリア・シート・バックは、シート・バック・トリム・カバーが、背当て側トリム・カバーおよび背裏面側トリム・カバーからなり、そして、ボディ・フロア側のシート・バック・ロック・ワイヤに対応して細長いはめ込み口をその背裏面側トリム・カバーに開口させ、そして、上下のリップが、短冊形生地を幅方向に折り返して曲げ、そして、その細長いはめ込み口において長さ方向に突
き合わせ状態で折返し端末をその細長いはめ込み口の折返し端末に内側から重ねて縫い付けてその細長いはめ込み口をスリット状になす。
【発明の効果】
【０００７】
この発明の自動車のリア・シートに用いる前倒し可能なリア・シート・バックでは、その上下のリップがその背裏面側トリム・カバーの内側からその細長いはめ込み口に重ね縫いされるので、その細長いはめ込み口に芯材が省かれてその芯材でその細長いはめ込み口まわりのそのトリム・カバーがごつごつされずにその細長いはめ込み口がその上下のリップでスリット状になされ、そのシート・バック・ロック・ワイヤがその細長いはめ込み口に円滑に出し入れされ、その細長いはめ込み口の開口縁まわりでそのシート・バック・ロック・ワイヤの出し入れによるへたりが抑制され、そして、見映えが長期間確保される。
【図面の簡単な説明】
【０００８】
【図１】リア・シート・バックがセンター・シート・バックを一体化した片側シート・バックと他側シート・バックとに６対４分割されるバンのリア・シートに活用されるところのこの発明の自動車のリア・シートに用いる前倒し可能なリア・シート・バックの具体例を一部分解して後方から見た分解斜視図である。
【図２】その前倒し可能なリア・シート・バックになるその片側シート・バックをフレームとシート・バック・ロック機構の状態で前方から見て示した斜視図である。
【図３】シート・バック・トリム・カバーの背裏側トリム・カバーを示した表面図である。
【図４】そのシート・バック・トリム・カバーの背裏側トリム・カバーを示した裏面図である。
【図５】図３の５−５線に沿って示した断面図である。
【発明を実施するための形態】
【０００９】
この発明の自動車のリア・シートに用いる前倒し可能なリア・シート・バックは、シート・バック・トリム・カバーが、背当て側トリム・カバーおよび背裏面側トリム・カバーからなり、そして、ボディ・フロア側のシート・バック・ロック・ワイヤに対応して細長いはめ込み口をその背裏面側トリム・カバーに開口させ、そして、上下のリップが、短冊形生地を幅方向に折り返して曲げ、そして、その細長いはめ込み口において長さ方向に突き合わせ状態で折返し端末をその細長いはめ込み口の折返し端末に内側から重ねて縫い付けてその細長いはめ込み口をスリット状になす。
【００１０】
その上下のリップが、カーペット生地を用いてもかまわない。
【実施例１】
【００１１】
以下、特定されて図示された具体例に基づいて、この発明の自動車のリア・シートに用いる前倒し可能なリア・シート・バックを説明するに、図1ないし図５は、バンの６対４
分割型リア・シートに活用されるところのこの発明の自動車のリア・シートに用いる前倒し可能なリア・シート・バックの具体例１０を示し、そしてそこでは、この前倒し可能なリア・シート・バック１０はセンター・シート・バック１１を一体化した片側シート・バックに具体化されてそのリア・シートに活用される。勿論、そのリア・シートでは、リア・シート・バックがそのセンター・シート・バック１１を一体化したその片側シート・バック１０と他側シート・バック（図示せず）とに６対４分割され、そして、その片側シート・バック１０がリア・シート・クッション（図示せず）上に前倒し可能にヒンジ結合され、また、そのセンター・シート・バック１１には、センター・アームレスト（図示せず）が組み付けられる。
【００１２】
その前倒し可能なリア・シート・バック１０は、シート・バック・ロック機構１７を取
り付けるシート・バック・フレーム１２、そのシート・バック・フレーム１２に組み付けられるシート・バック・パッド１３、そのシート・バック・フレーム１２の背裏側に張り付けられるインナー・フェルト・カバー１４、そのシート・バック・パッド１３の上からそのシート・バック・フレーム１２およびインナー・カバー・フェルト１４に被せられて固定されるシート・バック・トリム・カバー１５、およびヘッドレスト１６などで組み立てられる。
【００１３】
そのシート・バック・フレーム１２は、所定の肉厚、太さの細長い鋼管からフレーム・トップ２１、フレーム・ボトム２２、およびインナーおよびアウター・フレーム・サイド２３、２４に折り曲げ成形されてそのセンター・シート・バック１１のフレームを兼ねる大きさになされたメイン・バック・フレーム２０、補強フレーム・センター２５、縦ワイヤ２６、複数の横ワイヤ２７、２８、および形状出しワイヤ２９、３０、３１などで枠組みされ、そして、ヘッドレスト・フレーム３７およびアームレスト・ホルダー３２などを溶接し、そしてさらに、左右のアームレスト・ブラケット３３、３４および左右のヒンジ・ブラケット３５、３６を備え、そして、そのシート・バック・ロック機構１７を取り付ける。
【００１４】
その補強フレーム・センター２５は、所定の肉厚、太さの細長い鋼管から所定の長さに切断されてそのメイン・バック・フレーム２０においてそのフレーム・トップ２１とそのフレーム・ボトム２２との間に渡されて上下の潰し端でそのフレーム・トップ２１およびフレーム・ボトム２２に溶接され、また、その縦ワイヤ２６は、そのフレーム・トップ２１とそのフレーム・ボトム２２との間に渡されて上下端でそのフレーム・トップ２１およびフレーム・ボトム２２に溶接され、一方、その横ワイヤ２７、２８は、そのメイン・バック・フレーム２０のそのアウター・フレーム・サイド２４とその補強フレーム・センター２５との間に上下方向に適宜の間隔で渡されて左右端でそのアウター・フレーム・サイド２４および補強フレーム・センター２５に溶接される。そのように溶接された縦ワイヤ２６および横ワイヤ２７、２８はそのシート・バック・フレーム１２においてそのシート・バック・パッド１３を支える。
そのヘッドレスト・フレーム３７は、所定の肉厚、太さ、長さの鋼管から立体U字曲げ
されて両端でそのメイン・バック・フレーム２０のそのフレーム・トップ２１に溶接される。
【００１５】
さらに、そのアームレスト・ホルダー３２は、所定の肉厚の鋼板からプレス成形されてそのメイン・バック・フレーム２０のそのインナー・フレーム・サイド２３とその補強フレーム・センター２５との間に横方向に渡されて両端でそのインナー・フレーム・サイド２３および補強フレーム・センター２５に溶接され、そして、そのセンター・アームレストを支持可能にする。
その左のアームレスト・ブラケット３３はそのアームレスト・ホルダー３２にねじ止めされ、一方、その右のアームレスト・ブラケット３４は、そのメイン・バック・フレーム２０のそのインナー・フレーム・サイド２３に溶接されてそのセンター・アームレストをそのシート・バック・フレーム１２に回転可能に支持する。そのセンター・アームレストはそのように支持されて格納位置と前倒し位置に揺動される。
またさらに、そのシート・バック・ロック機構１７は、その補強フレーム・センター２５からそのメイン・バック・フレーム２０のそのフレーム・トップ２１に伸びてその補強フレーム・センター２５およびフレーム・トップ２１に取り付けられ、そして、その前倒し可能なリア・シート・バック１０の外部でロック解除を操作可能にする。
【００１６】
そのインナー・フェルト・カバー１４は、そのシート・バック・トリム・カバー１５に開口された細長いはめ込み口５５に向かい合う箇所にロック・ワイヤ通し開口３８を穴合わせ状態に切り抜き、そして、そのシート・バック・フレーム１２の背裏側に張り付けら
れてそのシート・バック・ロック機構１７などの内臓部品を保護する。このインナー・フェルト・カバー１４は、例えば、そのリア・シート・バック１０がそのリア・シート・クッション上に前倒しされて荷物載せに活用される際、その荷物からその内臓部品を保護する。
このインナー・フェルト・カバー１４には、例えば、プレス・フェルトが用いられる。
【００１７】
そのシート・バック・トリム・カバー１５は、背当て側トリム・カバー３９に背裏側トリム・カバー４０を互いに上端で縫い付けて袋状になされる。具体的には、このシート・バック・トリム・カバー１５では、その前倒し可能なリア・シート・バック１０の背裏面側でその背裏側トリム・カバー４０がそれの上端でその背当て側トリム・カバー３９の上端に縫い付けられて上下方向に開閉可能にされる。
この背裏側トリム・カバー４０は、上下に持ち上げられて開かれ、下方に下げられてその背当て側トリム・カバー３９の両側縁４３、４４のファスナー４７、４８にその背裏側トリム・カバー４０の両側縁５１、５２を、その背当て側トリム・カバー３９の下端縁４２の面ファスナー４５、４６、４６にその背裏側トリム・カバー４０の下端縁５０の面ファスナー５３、５４、５４をそれぞれ止めて閉じられる。
さらに、このシート・バック・トリム・カバー１５は、そのバンのボディ・フロア側のバック・パネル（図示せず）に固定的に取り付けられたシート・バック・ロック・ワイヤ／ストライカー（図示せず）に対応してその細長いはめ込み口５５をその背裏側トリム・カバー４０に開口し、そして、上下のリップ６０、６１が、短冊形生地を幅方向に折り返して曲げ、そして、その細長いはめ込み口５５において長さ方向で折り返し曲げ先端を突き合わせて折り返し端末６４、６５をその細長いはめ込み口５５の折り返し端末５６、５７に内側から重ねて縫い付け、そして、その細長いはめ込み口５５をスリット状になす。
その上下のリップ６０、６１では、それらの両端は、その細長いはめ込み口５５の幅方向でその細長いはめ込み口５５の折り返し端末５８、５９に重ね縫いされる。この上下のリップ６０、６１には、へたり難い生地が望ましく、カーペット生地が使用された。
【００１８】
したがって、この前倒し可能なリア・シート・バック１０では、その上下のリップ６０、６１がその背裏面側トリム・カバー４０の内側からその細長いはめ込み口５５に重ね縫いされるので、その細長いはめ込み口５５に芯材が省かれて縫付けが簡単になり、その芯材でその細長いはめ込み口５５まわりのそのトリム・カバー１５、４０がごつごつされずにその細長いはめ込み口５５がその上下のリップ６０、６１でスリット状になされ、そのシート・バック・ロック・ワイヤがその細長いはめ込み口５５に滑らかに出し入れされ、その細長いはめ込み口５５の開口縁まわりでそのシート・バック・ロック・ワイヤの出し入れによるへたりが抑制され、そして、見映えが長期間確保される。
【００１９】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００２０】
上述から理解されるように、この発明の自動車のリア・シートに用いる前倒し可能なリア・シート・バックは、シート・バック・トリム・カバーが、背当て側トリム・カバーおよび背裏面側トリム・カバーからなり、そして、ボディ・フロア側のシート・バック・ロック・ワイヤに対応して細長いはめ込み口をその背裏面側トリム・カバーに開口させ、そして、上下のリップが、短冊形生地を幅方向に折り返して曲げ、そして、その細長いはめ込み口において長さ方向に突き合わせ状態で折返し端末をその細長いはめ込み口の折返し
端末に内側から重ねて縫い付けてその細長いはめ込み口をスリット状になすので、この発明の自動車のリア・シートに用いる前倒し可能なリア・シート・バックでは、その上下のリップがその背裏面側トリム・カバーの内側からその細長いはめ込み口に重ね縫いされ、その細長いはめ込み口に芯材が省かれて縫付けが簡単になり、その芯材でその細長いはめ込み口まわりのそのトリム・カバーがごつごつされずにその細長いはめ込み口がその上下のリップでスリット状になされ、そのシート・バック・ロック・ワイヤがその細長いはめ込み口に円滑に出し入れかのうになり、その細長いはめ込み口の開口縁まわりでそのシート・バック・ロック・ワイヤの出し入れによるへたりが抑制され、そして、見映えが長期間確保され、その結果、自動車、特にバンやワゴンのような自動車にとって非常に有用で実用的である。
【符号の説明】
【００２１】
１０  前倒し可能なリア・シート・バック／片側シート・バック
１１  センター・シート・バック
１２  シート・バック・フレーム
１３  シート・バック・パッド
１４  インナー・フェルト・カバー
１５  シート・バック・トリム・カバー
１６  ヘッドレスト
１７  シート・バック・ロック機構
２０  メイン・バック・フレーム
２１  フレーム・トップ
２２  フレーム・ボトム
２３  インナー・フレーム・サイド
２４  アウター・フレーム・サイド
２５  補強フレーム・センター
２６  縦ワイヤ
２７  横ワイヤ
２８  横ワイヤ
２９  形状出しワイヤ
３０  形状出しワイヤ
３１  形状出しワイヤ
３２  アームレスト・ホルダー
３３  左のアームレスト・ブラケット
３４  右のアームレスト・ブラケット
３５  左のヒンジ・ブラケット
３６  右のヒンジ・ブラケット
３７  ヘッドレスト・フレーム
３８  ロック・ワイヤ通し開口
３９  背当て側トリム・カバー
４０  背裏側トリム・カバー
４１  上端
４２  下端縁
４３  側縁
４４  側縁
４５  面ファスナー
４６  面ファスナー
４７  ファスナー
４８  ファスナー
４９  上端
５０  下端縁
５１  側縁
５２  側縁
５３  面ファスナー
５４  面ファスナー
５５  細長いはめ込み口
５６  折り返し端末
５７  折り返し端末
５８  折り返し端末
５９  折り返し端末
６０  上のリップ
６１  下のリップ
６２  折り返し曲げ先端
６３  折り返し曲げ先端
６４  折り返し端末
６５  折り返し端末
７０  ロック・アッセンブリー（ロック・レバーを組み込んだ）
７１  変向レバー
７２  連結ケーブル・ワイヤ／プッシュ・プル・ケーブル
７３  連結ロッド
７４  解除ノブ
７５  ロック・アッセンブリー・シート・ブラケット
７６  レバー・シート・ブラケット
７７  ラチェット・ケーブル・ストラップ／結束バンド
【図１】
2014043223.tif 000003
【図２】
2014043223.tif 000004
【図３】
2014043223.tif 000005
【図４】
2014043223.tif 000006
【図５】
2014043223.tif 000007